(57)【特許請求の範囲】
【請求項１】
通路方向に伸長しかつ通路に面した前面（１２）を備えるアンテナユニット（５）を有し、前記前面（１２）の高さはデータキャリアの異なる着用高さに対応し、前記前面（１２）は電波の到達範囲におけるデータ送信用の少なくとも１つのアンテナ（１３，１４）を有し、斜め下に向いたベアリング（８）と、このベアリング（８）に向かって斜めに伸長するバリヤアーム（１０）とを備えたターンスタイル（４）を有する非接触データキャリアのための通路制御装置（３）であって、
前記アンテナユニット（５）の前記前面（１２）は前記ターンスタイル（４）の前記ベアリング（８）を超えて下へと伸長し、前記ターンスタイル（４）は前記アンテナユニット（５）の領域で通路方向（１５）の前側に取付けられ、前記ターンスタイルベアリング（８）を超えて下へと伸長する前記前面（１２）の一部分（１７）は斜め後方へ伸長することを特徴とする通路制御装置（３）。
【請求項２】
前記アンテナユニット（５）の前記前面（１２）の少なくとも前記ターンスタイルのベアリング（８）より上の部分は光学情報のための情報面（１８）として設計されることを特徴とする請求項１記載の通路制御装置。
【請求項３】
前記アンテナユニット（５）の前記前面（１２）は２つの異なるデータ送信キャリア周波数のための２つのアンテナ（１３，１４）を有することを特徴とする請求項１または２記載の通路制御装置。
【請求項４】
前記アンテナユニット（５）の前記前面（１２）は２つの異なるデータ送信キャリア周波数のための１つのアンテナを有することを特徴とする請求項１または２記載の通路制御装置。
【請求項５】
前記ターンスタイルベアリング（８）は前記アンテナユニット（５）の前端におけるリセス（１６）内に配置されていることを特徴とする請求項１記載の通路制御装置。
【請求項６】
挿入されたデータキャリアを読み取るための装置（アタッチメント６）は前記アンテナユニット（５）の前端に配置され、前記アンテナユニット（５）の前記前面（１２）の前記ターンスタイルベアリング（８）より上の部分は通路（１）から斜め後方へ傾斜されていることを特徴とする請求項１ないし５のいずれかに記載の通路制御装置。
【請求項７】
前記情報面（１８）は多様な情報を受信するように設計されることを特徴とする請求項１ないし６のいずれかに記載の通路制御装置。
【請求項８】
前記情報面（１８）は照明されるように設計されることを特徴とする請求項１ないし７のいずれかに記載の通路制御装置。
【請求項９】
特定のデータキャリアによる前記通路（１）の解放を指示するための光学装置（信号灯２０）を有することを特徴とする請求項１ないし８のいずれかに記載の通路制御装置。
【発明の詳細な説明】
【０００１】
【発明の属する技術分野】
本発明は、非接触データキャリアのための通路制御装置に関する。該装置は、通路方向に伸長し、かつ通路に面した前面を備えるアンテナを有し、前記前面の高さはデータキャリアの異なる着用高さに対応し、前記前面は電波の到達範囲におけるデータ送信用の少なくとも１つのアンテナを有し、さらに斜め下に向いたヒンジピンのベアリングと前記ベアリングに向かって斜めに伸長する複数のバリヤアームとを備えたターンスタイル(turnstile)を有する。
【０００２】
【従来の技術】
このような通路制御装置は公知である（ＤＥ  ９４９００９４  Ｕ１）。
【０００３】
非接触通路制御の場合、チェックされる人間は、例えば腕時計形式の、或いは衣服のポケットに入れるカード形式の中継器を、パワー消費及びデータ送信用の無線波レンジにおいてアンテナを介してトランシーバと双方向通信を行うデータキャリアとして着用する。
【０００４】
データ送信は、アンテナの直前の領域に限定される。従って、チェックされる人間がアンテナを通過するための所要時間は、データ送信に必要なトランザクション時間に対応しなければならず、アンテナユニットの長さは、例えば３０ｃｍから８０ｃｍと比較的大きくなる。同時にアンテナも、チェックされる人間の身長の相違（子供／異常に背の高い大人）及びその者が身に付けるデータキャリアの位置の高さの相違（ズボンのポケット／上腕部のポケット）を考慮して、例えば４０ｃｍ乃至１００ｃｍといったかなりの高さを有していなければならない。さらに、トランシーバの電子機器の少なくとも一部はアンテナユニットに収納されるため、一定の深さをも有する。
【０００５】
従って、アンテナユニットは大きくかなり魅力的でない箱を形成する。こうしたアンテナユニットを有する複数の通路が並んで配置されると、嵩張った印象がかなり大きくなる。
【０００６】
アンテナユニットにもっと好ましい外観を与える様々な方法が講じられてきた。例えば、前記先行技術によって指摘されているように、アンテナユニットには、通路方向に伸長する屈曲軸を有する膨出部が付けられている。結果的に凹形状である表面の前面は、見た目の大きさを減じる技術性を示唆しているが満足できる程ではない。さらに、アンテナユニットの膨出形状は製造上かなりの追加的努力を必要とする。
【０００７】
アンテナユニットの外観を向上させるため、その前面及び前後面はさらに透明のデザインを施されてきた。しかしながら、２つの大きな表面を透明にするにはかなりのコストが必要である。また、アンテナを除く全ての電子構成要素を端部域に配置する必要があるため、さらにコストが追加される。
【特許文献１】
Ｅ  ９４９００９４  Ｕ１
【０００８】
【発明が解決しようとする課題】
本発明の課題は、低い生産コストで見栄えの良いアンテナユニットを有する非接触式通路制御装置を提供することにある。
【０００９】
【課題を解決するための手段】
これは、アンテナユニットの前面が少なくとも１つのアンテナと共にターンスタイルのベアリングを越えて下方に伸長し、ターンスタイルはアンテナユニットの通路方向の前部に取付けられ、ターンスタイルベアリングを越えて下方に伸長する前面部は斜め後方に伸長している本発明によって達成される。
【００１０】
【発明の効果】
これにより、広いアンテナ実効範囲が形成され、ターンスタイルまでのその多大な長さを介して、アンテナ領域の入口からターンスタイルまで通行者が通過する比較的長い時間、ひいてはデータ送信のための長いトランザクション時間が確保され、またその十分な高度を介して、データキャリアが通路通行者によって極めて多様な高さ（例えば子供／大人、例えばズボンのポケット／帽子）で着用され得ることを保証している。衣服またはこれに類するものが詰まらないように、アンテナユニットの前面の下側部分は後方に傾斜されている。
【００１１】
【発明の実施の態様】
通路方向に伸長しかつ通路に面しているアンテナユニットの前面は、好適には少なくとも上部域を光学情報用の情報面として形成されている。これによって前面に追加的な機能が与えられ、アンテナユニットの見た目の大型さが消える。見る者にとってこの情報認識は、他の印象を背景の中に後退させる。
【００１２】
アンテナユニットの前面に供給される光学情報は、異なる方法で設計することが可能であり、これには英数字及び／または絵入りの情報、またはおそらくは動画を使用することができる。通路制御装置がエレベーターまたはケーブルカーへのアクセスに使用される場合、前面には例えば特定地域の地図を配置したり、或いは広告面として設計することが可能である。また、例えばスキーリフトでは前面を冬景色を映す鏡として設計することもできる。
【００１３】
前面には地図等の永久的な情報或いは変動的な情報を掲載することができる。後者の場合、例えば前面は、ポスター用のクランプまたはマグネット式ホルダー、或いは掲示板挿入用の溝付きの間隔を置いたガイドをその両端部に有することができる。前面はさらに、やはりオプションである屋内照明によって照明されるように設計することが可能である。
【００１４】
さらに、アンテナユニットの前面には、ポスター、標識またはこれに類する平板な情報素材を中に固定することのできる窪みを設けることができる。特に、複数の通路が並行に配置されている場合、アンテナユニットの前面だけでなく裏面も情報面として設計することができる。
【００１５】
その良好な外観からすると、たとえ寸法が大きくても本発明のアンテナユニットは複数のアンテナの配置に非常に適している。
【００１６】
非接触データキャリアは、異なるキャリア周波数が無線レンジ（１０４−３．１０９Ｈｚ）でデータ送信に使用されるようなものが使用されている。例えば、ＩＳＯ規格に従って供給されるキャリア周波数である１３．５６ＭＨｚで作動するデータキャリアもあれば、メーカ指定等の他のキャリア周波数で作動するデータキャリアもある。また例えばカード認識後により安全かつ高速のデータ送信のために周波数変更が行われる（周波数ホッピング）データキャリアも周知である（ＥＰ−Ａ−０６４２０９６参照）。
【００１７】
【実施例】
次に、図面を参照して、本発明の通路制御装置の実施形態についてより詳細に説明する。
【００１８】
このように、通路制御装置３は、通路１でフレーム２上に垂直に調整可能な方法で配置されている。
【００１９】
通路制御装置３は、ターンスタイル４と、アンテナユニット５と、スロット７に挿入される受動データキャリアを読み取る装置を備えたアタッチメント６とを有している。
【００２０】
ターンスタイル４はフレーム２にアタッチメントとして固定されており、アンテナユニット５はターンスタイル４にアタッチメントとして、またアタッチメント６はアンテナユニット５に固定されている。
【００２１】
ターンスタイル４は、約４５°で斜め下に通路１へと向いたヒンジピン（ベアリング）８を有し、ヒンジピン（ベアリング）８は、ハウジング９内に取り付けられ、約４５゜で配置された複数のバリヤアーム１０を支えている。ハウジング９は、駆動モータを含んでいる。さらに、ターンスタイル駆動装置（図示されていない）を作動させるための光電式センサが装備され、同光電式センサは同時に、オペレーティングスタッフに特定のデータキャリアがターンスタイル４を作動させているかどうかを指示する単色または多色の信号灯２０を駆動することができる。
【００２２】
アンテナユニット５は、通路１に面した大型表面の前面１２と、前面１２に平行な裏面１３’と、幅狭の側壁２２、２３とで構成される。前面１２の内側には、実質的にアンテナユニット５の輪郭に並行して伸長するトランシーバ（図示されていない）の２つのアンテナ１３、１４（点線で指示）が存在している。外側のアンテナ１３は、例えばキャリア周波数１２５ｋＨｚ用に設計されることが可能であり、内側のアンテナ１４はキャリア周波数１３．５６ＭＨｚ用に設計されることが可能である。
【００２３】
中継器として設計された非接触式アクティブデータキャリアのパワー消費は、アンテナ１３、１４、及び被検者が衣服等、その体のどこかに着用している前記データキャリアと通路制御装置３のトランシーバ（図示されていない）との間の通信によって実行される。
【００２４】
アンテナ１３、１４の到達度は数デシメートルに限定されており、非接触データキャリアとトランシーバとの間のトランザクションは、被検者がアンテナ１３、１４を通過する所要時間に制限される。従って、非接触データキャリアとトランシーバ間の相互作用に必要なトランザクション時間がアンテナユニット５の長さを決定する。これに対してアンテナユニット５の高さは、通路１を通過していく者がデータキャリアを着用する多様な高さ（子供／大人、ズボンのポケット／上腕等）によって決定される。こうしてアンテナユニットもまた、例えば長さ５０ｃｍで例えば７０ｃｍの対応する高さを有する。２つのアンテナの他に、前面１２上に２種類の異なるデータ送信周波数に対応するアンテナを１つだけ備えることもできる。
【００２５】
内部にターンスタイル４が取りつけられているハウジング９は、長方形のアンテナユニット５の下側の一画を成すリセス１６内で、通路側（図２の矢印１５）に向けてアンテナユニット５の端に配置されている。これは、高信頼性の人物選択を保証する。即ち、アンテナユニット５の前にいる非接触データキャリアを有する者とターンスタイル４との間に人を入れず、前記非接触データキャリアを着用している前記人物によってターンスタイル４が作動される際に無許可でターンスタイル４を通過させない。
【００２６】
アンテナ１３、１４、ひいてはアンテナユニット５は、ハウジング９またはターンスタイルベアリングを超えて下へと伸長する。回転するバリヤアーム１０とアンテナユニット５との間に衣服またはこれに類するものが詰まらないように、アンテナユニット５の部分１７は、ターンスタイルハウジング９の領域から下で通路１より裏側へと斜めに傾斜されている。
【００２７】
ターンスタイルハウジング９の領域より上のアンテナユニット５の広い上側部分は下側部分１７と同様に平坦であり、情報面１８として設計されている。この目的に沿って、部分１８は例えば、両側に接着ホイル等を貼り付けることのできる情報標識（図示されていない）を挿入するためのガイド１９を有する場合がある。これにより、そうでなければ大型のボックス形状のアンテナユニット５が与えたと思われる見た目の大きい印象が除去される。本情報はまた、前面１２全体を、即ち下側部分１７を含めてカバーすることができる。
【００２８】
アンテナユニット５の上側部分、よって及び情報面１８は、例えば５乃至２０゜の傾斜角αで通路１より後方へ僅かに傾斜されており、通路１を通過していく者にとって情報面１８に対する最適な視角が取得される。同時に、傾斜された情報面１８は挿入の間に人の肩が情報面１８に接触することを防止するため、これは、接触式或いは磁気作動式データキャリアのアタッチメント６のスロット７への挿入を容易にする。
【００２９】
下側部分１７を含む前面１２は、通路１側に膨らむ凸形状を有することができる。即ち、アンテナユニット５の上側と下側部分１７との間のエッジをなくして形成されることも可能である。
【００３０】
従って本発明の本制御装置においては、アンテナユニット５の前面１２及び少なくとも１つのアンテナ１３、１４はターンスタイル４のベアリングまたはヒンジピンを超えて下へと伸長する。ターンスタイル４のベアリング８は、アンテナユニット５の一画に通路方向に向かって取付けられているため、ターンスタイルベアリング８を超えて下へと伸長する前面１２の部分１７は斜め後方に伸長している。
【００３１】
これは、広いアンテナ実効範囲または前面１２を形成し、通路方向１５のターンスタイルより前のその多大な長さによって、被検者が少なくとも１つのアンテナ１３、１４の領域への入口からターンスタイル４まで通過する比較的長い時間、ひいてはデータ送信のための長いトランザクション時間が確保され、同時にその十分な高度は、データキャリアが通路通行者によって全く異なる高度で着用され得ることを保証する。衣服またはこれに類するものの詰まりを防止するため、アンテナユニット５の前面１２の下側部分１７は通路１から後方へ傾斜されている。こうして形成されたアンテナユニット５の広い前面１２は、同時に情報面１８としての使用に最適な広い表面となる。
【図面の簡単な説明】
【図１】  図１は、通路制御装置の斜視図である。
【図２】  前記装置の正面図及び側面図である。
【図３】  前記装置の正面図及び側面図である。
【符号の説明】
１        通路
２     フレーム
３     通路制御装置
４     ターンスタイル
５     アンテナユニット
６     アタッチメント
７     スロット
８     ターンスタイルのベアリング（ヒンジ）
９     ターンスタイルのハウジング
１０   バリヤアーム
１２   前面
１３   アンテナ
１４   アンテナ
１５   通路方向
１６   リセス
１８   情報面
１９   ガイド
２０   信号灯
２２   側壁
【図１】
0004119609.tif 000002
【図２】
0004119609.tif 000003
【図３】
0004119609.tif 000004